(57)【特許請求の範囲】
【請求項１】
第１のインクと、前記第１のインクと同系色で且つ前記第１のインクよりも記録媒体に対する浸透性の高い第２のインクとを吐出可能な記録ヘッドを用い、前記記録媒体に対する往復の走査により前記記録媒体上の所定領域に画像を記録するインクジェット記録装置であって、
前記記録ヘッドの往方向における走査において前記所定領域に対して前記第１のインクを前記第２のインクよりも先に吐出させ、且つ、前記記録ヘッドの復方向における走査において前記所定領域に対して前記第１のインクを前記第２のインクよりも先に吐出させるように、前記記録ヘッドを制御する記録制御手段
を備えることを特徴とするインクジェット記録装置。
【請求項２】
前記記録ヘッドは、前記走査の方向と交差する方向に複数の吐出口が並ぶ複数の吐出口列を備え、前記複数の吐出口列は、前記第１のインクを吐出可能な第１の吐出口列と、前記第２のインクを吐出可能な第２の吐出口列と、前記第１のインクを吐出可能な第３の吐出口列とを含み、前記記録ヘッドの走査方向において、前記第１の吐出口列と前記第３の吐出口列との間に前記第２の吐出口列が配置されていることを特徴とする請求項１に記載のインクジェット記録装置。
【請求項３】
前記記録制御手段は、前記第１の吐出口列が前記走査方向前方にある走査では、前記所定領域に対して前記第１の吐出口列及び前記第２の吐出口列からインクを吐出させ、前記第３の吐出口列が前記走査方向前方にある走査では、前記所定領域に対して前記第２の吐出口列及び前記第３の吐出口列からインクを吐出させるように前記記録ヘッドを制御することを特徴とする請求項２に記載のインクジェット記録装置。
【請求項４】
前記画像はエッジ部と前記エッジ部の内部の非エッジ部とを含み、前記所定領域は前記非エッジ部に対応することを特徴とする請求項１から３のいずれかに記載のインクジェット記録装置。
【請求項５】
前記記録制御手段は、前記エッジ部に対して前記第２のインクを吐出させずに前記第１のインクを吐出させるように前記記録ヘッドを制御することを特徴とする請求項４に記載のインクジェット記録装置。
【請求項６】
前記記録制御手段は、前記非エッジ部において、前記第１のインクと前記第２のインクとが記録媒体上の同じ位置に重なるように前記記録ヘッドを制御することを特徴とする請求項４または５に記載のインクジェット記録装置。
【請求項７】
前記記録制御手段は、前記非エッジ部において、前記第１のインクと前記第２のインクとが前記走査の方向において交互に吐出されるように、前記記録ヘッドを制御することを特徴とする請求項４または５に記載のインクジェット記録装置。
【請求項８】
前記画像はエッジ部と前記エッジ部の内部の非エッジ部とを含み、前記所定領域は前記非エッジ部に対応し、
前記記録制御手段は、前記エッジ部に対して前記第２の吐出口列からインクを吐出させずに前記第１の吐出口列及び前記第３の吐出口列からインクを吐出させ、前記非エッジ部に対して前記第２吐出口列と、前記第１の吐出口列及び前記第３の吐出口列のうち走査方向前方に位置する一方と、からインクを吐出させるように前記記録ヘッドを制御することを特徴とする請求項２に記載のインクジェット記録装置。
【請求項９】
前記第１のインク及び前記第２のインクはブラックのインクであることを特徴とする請求項１から８のいずれかに記載のインクジェット記録装置。
【請求項１０】
前記第１のインク及び前記第２のインクは、色材として自己分散型顔料を含むことを特徴とする請求項１から９のいずれかに記載のインクジェット記録装置。
【請求項１１】
前記第１のインクの色材濃度は前記第２のインクの色材濃度よりも低いことを特徴とする請求項１から１０のいずれかに記載のインクジェット記録装置。
【請求項１２】
前記第１の吐出口列にインクを供給するための第１のインクタンクと、
前記第２の吐出口列にインクを供給するための第２のインクタンクと、
前記第３の吐出口列にインクを供給するための第３のインクタンクと、
をさらに備えることを特徴とする請求項２または３に記載のインクジェット記録装置。
【請求項１３】
第１のインクと、前記第１のインクと同系色で且つ前記第１のインクよりも記録媒体に対する浸透性の高い第２のインクとを吐出可能な記録ヘッドを用い、前記記録ヘッドの往方向における走査において前記記録媒体上の所定領域に対して前記第１のインクを前記第２のインクよりも先に吐出させ、且つ、前記記録ヘッドの復方向における走査において前記所定領域に対して前記第１のインクを前記第２のインクよりも先に吐出させることにより、前記所定領域に対して画像を記録することを特徴とするインクジェット記録方法。
【請求項１４】
前記記録ヘッドは、前記走査の方向と交差する方向に複数の吐出口が並ぶ複数の吐出口列を備え、前記複数の吐出口列は、前記第１のインクを吐出可能な第１の吐出口列と、前記第２のインクを吐出可能な第２の吐出口列と、前記第１のインクを吐出可能な第３の吐出口列とを含み、前記記録ヘッドの走査方向において、前記第１の吐出口列と前記第３の吐出口列との間に前記第２の吐出口列が配置されていることを特徴とする請求項１３に記載のインクジェット記録方法。
【請求項１５】
前記第１の吐出口列が前記走査方向前方にある走査では、前記所定領域に対して前記第１の吐出口列及び前記第２の吐出口列からインクを吐出させ、前記第３の吐出口列が前記走査方向前方にある走査では、前記所定領域に対して前記第２の吐出口列及び前記第３の吐出口列からインクを吐出させることを特徴とする請求項１４に記載のインクジェット記録方法。
【請求項１６】
前記画像はエッジ部と前記エッジ部の内部の非エッジ部を含み、前記所定領域は前記非エッジ部に対応することを特徴とする請求項１３から１５のいずれかに記載のインクジェット記録方法。
【請求項１７】
前記エッジ部に対して、前記第２のインクを吐出させずに前記第１のインクを吐出させることを特徴とする請求項１６に記載のインクジェット記録方法。
【請求項１８】
前記非エッジ部において、前記第１のインクと前記第２のインクとが記録媒体上の同じ位置に重なるようにインクを吐出させることを特徴とする請求項１６または１７に記載のインクジェット記録方法。
【請求項１９】
前記非エッジ部において、前記第１のインクと前記第２のインクとを前記走査の方向において交互に吐出させることを特徴とする請求項１６または１７に記載のインクジェット記録方法。
【請求項２０】
前記画像はエッジ部と前記エッジ部の内部の非エッジ部とを含み、前記所定領域は前記非エッジ部に対応し、
前記エッジ部に対して前記第２の吐出口列からインクを吐出させずに前記第１の吐出口列及び前記第３の吐出口列からインクを吐出させ、前記非エッジ部に対して前記第２吐出口列と、前記第１の吐出口列及び前記第３の吐出口列のうち走査方向前方に位置する一方と、からインクを吐出させることを特徴とする請求項１４に記載のインクジェット記録方法。
【請求項２１】
前記第１のインク及び前記第２のインクはブラックのインクであることを特徴とする請求項１３から２０のいずれかに記載のインクジェット記録方法。
【請求項２２】
前記第１のインク及び前記第２のインクは、色材として自己分散型顔料を含むことを特徴とする請求項１３から２１のいずれかに記載のインクジェット記録方法。
【請求項２３】
前記第１のインクの色材濃度は前記第２のインクの色材濃度よりも低いことを特徴とする請求項１３から２２のいずれかに記載のインクジェット記録方法。
【請求項２４】
記録媒体に対する往方向の走査及び復方向の走査の両方において前記記録媒体上にインクを吐出することにより画像を記録するためのインクジェット記録ヘッドであって、
前記走査の方向と交差する所定方向に複数の吐出口が並ぶ複数の吐出口列を備え、前記複数の吐出口列は、第１のインクを吐出可能な第１の吐出口列と、前記第１のインクと同系色で且つ前記第１のインクよりも記録媒体に対する浸透性の高い第２のインクを吐出可能な第２の吐出口列と、前記第１のインクを吐出可能な第３の吐出口列とを含み、前記走査の方向において前記第１の吐出口列と前記第３の吐出口列との間に前記第２の吐出口列が配置されており、前記インクジェット記録ヘッドの往方向における走査において記録媒体上の所定領域に対して前記第１のインクを前記第２のインクよりも先に吐出させ、且つ、前記インクジェット記録ヘッドの復方向における走査において前記所定領域に対して前記第１のインクを前記第２のインクよりも先に吐出させることを特徴とするインクジェット記録ヘッド。
【発明の詳細な説明】
【技術分野】
【０００１】
本発明は、記録媒体上にインクを吐出することによって画像を記録するインクジェット記録装置、インクジェット記録方法及びインクジェット記録ヘッドに関する。
【背景技術】
【０００２】
近年、出力装置として、インクを記録ヘッドから吐出して記録を行う形式の記録装置が広く普及している。このような記録装置の中には、記録ヘッドに形成されている吐出口からインク滴を吐出し、記録媒体上にドットを形成することによって画像を記録するものがある。インク滴で記録媒体上にドットを形成する記録では、ある領域を一色でほぼ塗りつぶす場合には、高いドット記録密度で一定の記録領域にドットが打ち込まれる。そのような場合に、一定の大きさの記録領域に対して過度に大量のインク滴が吐出されると、インクが記録領域外に滲み、記録画像の外形が明確に示された記録を行うことができないという課題があった。
【０００３】
このような課題を解決するために、特許文献１には、記録領域が外周領域と内部領域とに分けられ、それぞれの記録領域に応じて記録に用いるインクを異ならせる形式のインクジェット記録装置について開示されている。特許文献１に開示された記録装置においては、外周領域では相対的に浸透性の低いインク（比較的記録媒体に浸透しにくいインク；以下、緩浸透インク）が用いられてドットが形成される。また、内部領域では相対的に浸透性の高いインク（比較的記録媒体に浸透しやすいインク；以下、超浸透インク）と、浸透性の低い緩浸透インクの両方が用いられてドットが形成される。このように、内部領域に対しては記録媒体への浸透性の異なる二種類のインクが用いられて記録が行われるので、浸透性の低い緩浸透インクのみによって記録が行われる場合に比べて記録媒体の乾燥に必要な時間が短縮され記録の高速化を図ることができる。また、内部領域が超浸透インクのみによって記録が行われる場合に比べて滲みを少なくすることができ、記録によって得られる画像の品質の低下を抑えることができる。
【先行技術文献】
【特許文献】
【０００４】
【特許文献１】特開２００２−１１３８５０号公報
【発明の概要】
【発明が解決しようとする課題】
【０００５】
特許文献１に開示された記録装置によって記録が行われる場合には、内部領域で浸透性の異なる二種類のインクが交互に千鳥状に並べられるようにドットが形成されて記録が行われている。そのため、内部領域では、超浸透インクによって形成されたドットと、緩浸透インクによって形成されたドットとが混在している。しかしながら、特許文献１に開示された記録装置による記録画像の内部領域では、記録媒体への浸透性の異なるインクによるドットが交互に並べられているが、記録媒体に対してインクを打ち込む順番については規定されていない。従って、記録領域に、超浸透インクが打ち込まれた後に、緩浸透インクが打ち込まれる可能性がある。そのような場合には、内部領域で、記録媒体に打ち込まれた超浸透インクにおける染料や顔料等の色材成分が記録媒体の中の深い部分へ引き込まれてしまい、ドットの濃度が低くなってしまう場合がある。そのため、記録画像の一部で濃度が不足し、これによって記録画像の品質が低下する虞がある。このような課題は、インクに含まれる色材が染料の場合にも発生することがあるが、顔料を色材に利用した場合に顕著であった。
【０００６】
そこで、本発明は上記の事情に鑑み、超浸透インクと緩浸透インクとを用いて記録を行うインクジェット記録装置、インクジェット記録方法及びインクジェット記録ヘッドにおいて、光学濃度の低下を抑制する記録方法および記録装置を提供することを目的とする。
【課題を解決するための手段】
【０００７】
本発明のインクジェット記録装置は、第１のインクと、前記第１のインクと同系色で且つ前記第１のインクよりも記録媒体に対する浸透性の高い第２のインクとを吐出可能な記録ヘッドを用い、前記記録媒体に対する往復の走査により前記記録媒体上の所定領域に画像を記録するインクジェット記録装置であって、前記記録ヘッドの往方向における走査において前記所定領域に対して前記第１のインクを前記第２のインクよりも先に吐出させ、且つ、前記記録ヘッドの復方向における走査において前記所定領域に対して前記第１のインクを前記第２のインクよりも先に吐出させるように、前記記録ヘッドを制御する記録制御手段を備えることを特徴とする。
【発明の効果】
【０００８】
本発明のインクジェット記録装置、インクジェット記録方法及びインクジェット記録ヘッドによれば、光学濃度の低下を抑制することができるので、記録画像の品質の低下を抑えることができる。
【図面の簡単な説明】
【０００９】
【図１】本発明の第一実施形態に係るインクジェット記録装置について模式的に示した斜視図である。
【図２】（ａ）は、図１のインクジェット記録装置に用いられている記録ヘッドについて模式的に示した平面図であり、（ｂ）は、（ａ）の記録ヘッドからインクの吐出される順序について説明するために示した説明図である。
【図３】図１のインクジェット記録装置による記録を制御するための制御系について概略構成を示したブロック図である。
【図４】図１のインクジェット記録装置とホストＰＣとで構成される画像処理システムでの画像データ処理におけるデータの流れについて概略構成を示した機能ブロック図である。
【図５】図４のブロック図におけるエッジ処理についてさらに詳細に説明するためにデータの流れについて概略構成を示したブロック図である。
【図６】第一実施形態で記録される記録領域の記録データを、それぞれの領域ごとに振り分けるデータの分配について説明するための説明図である。
【図７】本発明の第二実施形態に係るインクジェット記録装置によって記録が行われる際の、エッジ処理について説明するためにデータの流れについて概略構成を示したブロック図である。
【図８】第二実施形態で記録される記録領域の記録データを、それぞれの領域ごとに振り分けるデータの分配について説明するための説明図である。
【図９】本発明の第三実施形態で記録される記録領域の記録データを、それぞれの領域ごとに振り分けるデータの分配について説明するための説明図である。
【図１０】（ａ）は、本発明の第四実施形態のインクジェット記録装置に用いられている記録ヘッドについて模式的に示した平面図であり、（ｂ）、（ｃ）は、（ａ）の記録ヘッドから吐出されるインクの順序について説明するために示した説明図である。
【図１１】図１０の記録ヘッドによって記録が行われるときの、記録ヘッドの位置と、記録媒体における記録対象領域の位置との間の関係について示した説明図である。
【図１２】第四実施形態に係るインクジェット記録装置によって記録が行われる際の、エッジ処理について説明するためにデータの流れについて概略構成を示したブロック図である。
【図１３】第四実施形態で記録される記録領域の記録データを、それぞれの領域ごとに振り分けるデータの分配について説明するための説明図である。
【図１４】（ａ）、（ｂ）は、第四実施形態で記録を行う記録ヘッドから、インクを吐出する順序について説明するために示した説明図である。
【図１５】本発明の第五実施形態で記録される記録領域の記録データを、それぞれの領域ごとに振り分けるデータの分配について説明するための説明図である。
【図１６】（ａ）は、本発明の第四実施形態のインクジェット記録装置に用いられている記録ヘッドについて模式的に示した平面図であり、（ｂ）、（ｃ）は、（ａ）の記録ヘッドから吐出されるインクの順序について説明するために示した説明図である。
【発明を実施するための形態】
【００１０】
以下、本発明の実施形態に係るインクジェット記録装置について、図面を参照しながら説明する。
【００１１】
（第一実施形態）
図１は、本発明を適用可能なカラーインクジェット記録装置の第一実施形態に係る構成を示す模式的な斜視図である。インクタンク２０７〜２１２は、６つのインク（ブラック（緩浸透インク）、ブラック（超浸透インク）、ブラック（緩浸透インク）、シアン、マゼンタ、イエロー：Ｋｅ、Ｋｍ、Ｋｅ、Ｃ、Ｍ、Ｙ）をそれぞれ収容している。これら６つのインクタンク２０７〜２１２からのインクを記録ヘッド２０１〜２０６に対して供給可能に構成されている。記録ヘッド２０１〜２０６は、６つのインクに対応して設けられ、インクタンク２０７〜２１２から供給されるインクをそれぞれ吐出できるように構成されている。６つの記録ヘッド２０１〜２０６のうち、ブラックのインクを吐出する記録ヘッドは、記録ヘッド２０１、２０２、２０３である。さらにこれらのブラックのインクを吐出する記録ヘッドのうち、本実施形態では、記録ヘッド２０１、２０３が、比較的記録媒体に浸透しにくいインク（以下、緩浸透インク）を吐出する。また、記録ヘッド２０２が、比較的記録媒体に浸透しやすいインク（以下、超浸透インク）を吐出する。
【００１２】
搬送ローラ１０３は、補助ローラ１０４とともに記録媒体（記録用紙）１０７を挟持しながら回転して記録媒体１０７を搬送するとともに、記録媒体１０７を保持する役割も担っている。キャリッジ１０６は、インクタンク２０７〜２１２及び記録ヘッド２０１〜２０６を搭載可能であって、これら記録ヘッド及びインクタンクを搭載しながらＸ方向沿って往復移動可能に構成されている。このキャリッジ１０６の往復移動中に記録ヘッドからインクが吐出され、これにより記録媒体に画像が記録される。記録ヘッド２０１〜２０４の回復動作時等の非記録動作時には、このキャリッジ１０６は図中の点線で示したホームポジション位置ｈに待機するように制御される。
【００１３】
図１に示すホームポジションｈに待機している記録ヘッド２０１〜２０６は、記録開始命令が入力されると、キャリッジ１０６と共に図中Ｘ方向に移動しつつ、インクを吐出して記録媒体１０７上に画像を記録する。この記録ヘッドの１回の移動（走査）によって、記録ヘッド２０１〜２０６の吐出口の配列範囲に対応した幅を有する領域に対して記録が行われる。
【００１４】
キャリッジ１０６の主走査方向（Ｘの正の方向）への１回の走査に伴う記録が終了すると、キャリッジ１０６はホームポジションｈへ向かう、主走査方向の逆方向（Ｘの負の方向）へ走査する。そこでまた記録ヘッド２０１〜２０６が走査を行いながら、記録ヘッド２０１〜２０６から記録媒体へインクを吐出することによって記録を行う。前回の記録走査が終了してから続く記録走査が始まる前には、搬送ローラ１０３が回転して、主走査方向と交差する副走査方向（Ｙ方向）へと記録媒体が搬送される。このように記録ヘッドの記録走査と記録媒体の搬送とを繰り返すことにより記録媒体１０７に対する画像の記録が完成する。記録ヘッド２０１〜２０６からインクを吐出する記録動作は、後述の制御手段による制御に基づいて行われる。
【００１５】
上記の例では、インクタンク２０７〜２１２と記録ヘッド２０１〜２０６とを分離可能にキャリッジ１０６に搭載する構成を示した。しかし、インクタンク２０７〜２１２と記録ヘッド２０１〜２０６とが一体となったカートリッジをキャリッジに搭載する形態を採用してもよい。さらに、一つの記録ヘッドから複数色のインクを吐出可能な複数色一体型の記録ヘッドをキャリッジに搭載する形態を採用してもよい。
【００１６】
以下、記録装置のデータ生成方法を説明する。図３は、図１に示したインクジェット記録装置の記録制御系回路の概略構成を示すブロック図である。インクジェット記録装置６００は、インターフェイス４００を介して、ホストコンピュータ（以下、ホストＰＣ）１２００等のデータ供給装置に接続されている。データ供給装置から送信される各種データや記録に関連する制御信号等は、インクジェット記録装置６００の記録制御部５００に入力される。記録制御部５００は、インターフェイス４００を介して入力された制御信号に従って後述のモータドライバ４０３、４０４やヘッドドライバ４０５を制御する。また、記録制御部５００は、入力される画像データの処理や後述のヘッド種別信号発生回路４０５より入力される信号の処理を行う。４０１は、記録媒体１０７の搬送のために搬送ローラ１０３を回転させるための搬送モータである。４０２は、記録ヘッド２０１〜２０６を搭載するキャリッジ１０６を往復移動させるためのキャリッジモータである。４０３、４０４は、搬送モータ４０１、キャリッジモータ４０２をそれぞれ駆動するためのモータドライバである。４０５は記録ヘッド２０１〜２０６を駆動するヘッドドライバであり、記録ヘッドの数に対応して複数設けられている。また、４０６はヘッド種別信号発生回路であり、キャリッジ１０６に搭載されている記録ヘッド２０１〜２０６の種類や数を示す信号を記録制御部５００に供給する。
【００１７】
図４はインクジェット記録装置とホストＰＣとで構成される画像処理システムにおける画像データ処理を行う概略構成を示す機能ブロック図である。インクジェット記録装置の記録制御部５００は、インターフェイス４００を介して、プリンタドライバがインストールされたホストＰＣ１２００より転送されるデータ処理を行う。
【００１８】
ホストＰＣ１２００では、アプリケーションから入力画像データ１０００を受け取り、受け取った入力画像データ１０００を１２００ｄｐｉ（ｄｏｔｓ／ｉｎｃｈ）の解像度でレンダリング処理１００１を行う。これによって、記録用多値ＲＧＢデータ１００２が生成される。本実施形態では、記録用多値ＲＧＢデータ１００２は２５６値のデータである。生成された記録用多値ＲＧＢデータ１００２は、記録制御部５００に転送される。記録制御部５００では、記録用多値ＲＧＢデータ１００２を多値（２５６値）ＫＣＭＹデータ１００８に変換するための色変換処理１００７を行う。次いで、多値（２５６値）ＫＣＭＹデータ１００８を量子化処理１００９（例えば、誤差拡散）によって量子化（２値化）する。これにより、２値化されたＫＣＭＹデータが生成される。本実施形態では、解像度１２００ｄｐｉの２値化されたＫＣＭＹデータが生成される。
【００１９】
このうちの２値化されたブラックデータに対して、エッジ処理を行う。図５はエッジ処理を示す図である。まず、非エッジ部検出処理２００１を行う。２値ブラックデータのうちの、非エッジ部のデータ、つまり、非エッジ部データ２００３が生成される。２値ブラックデータのうちの、非エッジ部データに該当しなかったデータを、エッジ部データ２１０３とする。エッジ部は、記録が行われない非記録領域に隣接する外周領域であり、その外周領域に囲まれた内部領域が非エッジ部である。本実施形態では、２値化されたブラックデータのうち、エッジ部を形成するために記録されるエッジ画素として、記録対象領域の最も外側の部分（外縁）から１画素（１ドット）が選択される。それ以外のデータについては、非エッジ部データとして記録に用いられる。
【００２０】
エッジ部データ及び非エッジ部データが生成されると、エッジ部データ及び非エッジ部データのそれぞれのデータに基づいて、インクが吐出されて記録が行われる。ここで、記録媒体へインクを吐出する順序について図２を参照して説明する。
【００２１】
図２（ａ）に、図１の記録ヘッド２０１〜２０６のうちブラックのインクを吐出する記録ヘッド２０１〜２０３について示す。記録ヘッド２０１、２０３から記録するインクは緩浸透インク（比較的記録媒体に浸透しにくいインク；以下、緩浸透インク）（第１のインク）である。また、記録ヘッド２０２から記録するインクは超浸透インク（比較的記録媒体に浸透しやすいインク；以下、超浸透インク）（第２のインク）である。これらの緩浸透インクと超浸透インクとは、記録媒体に記録されたときに同一の色として視認される。本実施形態では、記録ヘッドとして、緩浸透インクを吐出可能な記録ヘッド２０１（第１の記録ヘッド）と、超浸透インクを吐出可能な記録ヘッド２０２（第２の記録ヘッド）と、緩浸透インクを吐出可能な記録ヘッド２０３（第３の記録ヘッド）とを有している。すなわち、本実施形態では、吐出口列として、緩浸透インクを吐出可能な吐出口列（第１の吐出口列、第３の吐出口列）と、超浸透インクを吐出可能な吐出口列（第２の吐出口列）とを有している。
【００２２】
図２（ｂ）に示されるように、−Ｘ方向に記録ヘッドを走査させる場合には、記録ヘッド２０１から内部領域（非エッジ部）と外周領域（エッジ部）の両方に対して緩浸透インク（図の２１１）を記録する。その後、内部領域（非エッジ部）に対して、記録ヘッド２０２から超浸透インク（図の２１２）を記録する。そして、外周領域（エッジ部）に対して、記録ヘッド２０３から緩浸透インク（図の２１３）を記録する。一方、Ｘ方向に記録ヘッドを走査させる場合には、図２（ｃ）に示されるように、記録ヘッド２０３から内部領域（非エッジ部）と外周領域（エッジ部）の両方に対して緩浸透インク（図の２２３）を記録する。その後、内部領域（非エッジ部）に対して記録ヘッド２０２から超浸透インク（図の２２２）を記録する。そして、外周領域（エッジ部）に対して記録ヘッド２０１から緩浸透インク（図の２２１）を記録する。
【００２３】
内部領域への記録では、−Ｘ方向への記録時に記録ヘッド２０２から吐出した超浸透インク２１２は、先行して記録されている緩浸透インク２１１の上へ重ねて記録される。また、Ｘ方向への記録時に記録ヘッド２０２から吐出される超浸透インク２２２は、先行して記録されている緩浸透インク２２３の上へ重ねて記録される。このとき、緩浸透インク２１１、２２３は浸透しにくいインクであるから浸透速度は遅く、超浸透インク２１２、２２２が記録媒体表面に着弾するまで、記録媒体表面に留まっている。緩浸透インク２１１、２２３と超浸透インク２１２、２２２が記録媒体表面で混合することにより、両者の浸透速度が平均化される。このとき、緩浸透インクのみで記録した箇所よりも浸透速度が速くなる。すなわち、画像の内部領域に対し、浸透速度が遅い緩浸透インクで記録した後に浸透速度が速い超浸透インクで記録することで、緩浸透インクのみで記録した場合よりも色材が記録媒体の内部に浸透するため、耐擦過性や耐マーカー性を向上させることができる。
【００２４】
このように、内部領域への記録を行う場合、緩浸透インクと超浸透インクとが記録媒体上で少なくとも接するように、緩浸透インクを超浸透インクよりも先に記録媒体に吐出して記録を行う（内部領域記録シーケンス）。
【００２５】
また、外周領域については、緩浸透インクを吐出する記録ヘッド２０１及び記録ヘッド２０３からインクを吐出して記録を行う（外周領域記録シーケンス）。
【００２６】
仮にインクの色材が記録媒体の表面を越えて過度に盛り上がっている場合には、記録媒体上における色材の盛り上がった部分が指等に対して接触する虞がある。記録媒体の表面よりも上方に大きく盛り上がった部分の色材が指等に接触すると、記録画像が汚れ、記録画像の品質が低下する可能性がある。また、文字を形成する色材が記録媒体の表面よりも上方に過度に盛り上がった状態で、マーカーによってその文字が上からなぞられた場合、記録媒体の表面から盛り上がった部分の色材がマーカーによって汚され、記録画像の品質が低下する可能性がある。インクの色材が記録媒体内部に十分に浸透していれば、記録媒体の表面から過度に盛り上がることが抑えられ、指等の接触があった場合や記録画像の上をマーカーによってなぞられた場合にも、記録画像は汚されずに記録画像の品質が高く保たれる。
【００２７】
また、内部領域に対し、緩浸透インクに続いて超浸透インクで記録することで、超浸透インクに続いて緩浸透インクを吐出して記録を行う場合や、超浸透インクのみによって記録を行う場合よりも記録画像の光学濃度を上げることができる。
【００２８】
非エッジ部データ２００３は、緩浸透インクを吐出する記録ヘッドと超浸透インクを吐出する記録ヘッドとの両方の記録ヘッドによって記録される。このうち、緩浸透インクを吐出する記録ヘッドについては、キャリッジ及び記録ヘッドの走査方向に応じて記録を担当する記録ヘッドを異ならせる。記録ヘッドの走査方向がＸ方向のときは、図２（ｃ）のように記録ヘッド２０３によって緩浸透インク２２３を吐出する。また、記録ヘッドの走査方向が−Ｘ方向であれば、図２（ｂ）のように記録ヘッド２０１によって緩浸透インク２１１を吐出する。このように、緩浸透インクの吐出を二つの記録ヘッドに振り分けて記録が行われている。こうすることで、図２（ａ）に示されるように、記録ヘッドの走査方向に関わらず、超浸透インクを吐出する記録ヘッド２０２よりも走査方向の前方に、緩浸透インクを吐出する記録ヘッド２０１、２０３のうちのいずれかが位置することになる。従って、記録ヘッド２０２から記録されるよりも前に、記録ヘッド２０１もしくは記録ヘッド２０３からの記録を行うことができる。このように、記録ヘッドの走査方向に関わらず、緩浸透インクで記録した後に超浸透インクで記録することができる。このように、内部領域への記録においては、記録ヘッド２０１が走査方向の前方にあるときには、記録ヘッド２０１及び記録ヘッド２０２からインクを吐出して記録を行う記録シーケンス（第１の記録シーケンス）を行う。また、記録ヘッド２０３が走査方向の前方にあるときには、記録ヘッド２０２及び記録ヘッド２０３からインクを吐出して記録を行う記録シーケンス（第２の記録シーケンス）を実行させる。
【００２９】
本実施形態では、エッジ部データ２００３の記録においては、緩浸透インクを吐出する２つの記録ヘッドを用いて記録したが、１つの記録ヘッドのみによって記録することも可能である。例えば、エッジ部データ２００３は、ヘッド走査方向がＸ方向である場合には記録ヘッド２０１のみから記録し、−Ｘ方向である場合には記録ヘッド２０３のみから記録する。これにより、既に超浸透インクが着弾した内部領域の滲みを視認しにくくすることができる効果もある。
【００３０】
図６を用いて、それぞれの領域ごとに、データを記録ヘッド２０１、２０２、２０３に振り分けてデータの分配を行う工程について説明する。本図において、１マスは記録データ上の１画素を示しており、１画素に１つのインクドットが打ち込まれる。詳しくは後述するが、図６は記録ヘッド２０１〜２０３にデータを振り分けるための説明図であり、図６（ｃ）、（ｇ）、（ｊ）は、記録ヘッド２０１に対応している。同様に、図６（ｄ）、（ｈ）、（ｋ）は記録ヘッド２０２、図６（ｅ）、（ｉ）、（ｌ）は記録ヘッド２０３に対応している。図６（ａ）は、本実施形態で記録される記録領域の記録データの全体について示した図である。図６（ａ）に示される記録対象領域は、外縁から所定の画素数だけ内側の領域である外周領域と、外周領域よりも内側の内部領域とを有している。図６（ａ）〜（ｌ）の中央部横方向に示される点線は、記録ヘッドの走査方向が異なる領域の境界を示す。点線より上部は、記録ヘッドの走査方向がＸ方向（図６での右方向）の際に記録される画素であり、点線より下部は、記録ヘッドの走査方向が−Ｘ方向（図６での左方向）の際に記録される画素である。非エッジ部検出処理２００１が行われると、２値化された記録データから、図６（ｆ）に示す画素を形成するための非エッジ部データ２００３と図６（ｂ）に示す画素を形成するためのエッジ部データ２１０３が生成される。
【００３１】
図６（ｂ）〜（ｅ）に示されるエッジ部データ２１０３の記録について説明する。図６（ｂ）に示されるエッジ部データ２１０３は、緩浸透インクを吐出する記録ヘッド２０１及び２０３によって記録される。Ｘ方向への走査時には、記録ヘッド２０３が記録ヘッド２０１よりも走査方向の前方に位置する。従って、一回の走査で記録領域の記録を行いながら、図６（ｅ）の上半分に示される画像が記録ヘッド２０３によって記録され、次いで同じ領域に対して、図６（ｃ）の上半分に示される画像が記録ヘッド２０１によって記録される。Ｘ方向への走査が行われると、記録ヘッドの移動方向が折り返されて−Ｘ方向への走査が行われる。記録ヘッドの−Ｘ方向の走査時には、記録ヘッド２０１が記録ヘッド２０３よりも走査方向前方に位置している。従って、図６（ｃ）の下半分に示される画像が記録ヘッド２０１によって記録され、次いで同じ領域に対して、図６（ｅ）の下半分に示される画像が記録ヘッド２０３によって記録される。
【００３２】
次に、図６（ｆ）〜（ｉ）に示される非エッジ部データ２００３の記録について説明する。図６（ｆ）に、非エッジ部データ２００３を示す。非エッジ部データ２００３は、図６（ａ）に示される記録データ全体からエッジ部データ２１０３の部分を除いた領域の記録データである。
【００３３】
図６（ｆ）の非エッジ部データ２００３は、緩浸透インクを吐出する記録ヘッド２０１及び記録ヘッド２０３と、超浸透インクを吐出する記録ヘッド２０２との両方が用いられて記録が行われる。このとき、非エッジ部データ２００３については、それぞれの記録領域で、記録される順序として、先に緩浸透インクによって記録された後に超浸透インクによる記録が行われる。
【００３４】
記録ヘッドがＸ方向へ走査する際には、図６（ｆ）〜（ｉ）の上半分の領域に対して記録が行われる。このとき、記録ヘッド２０３から緩浸透インクが吐出されると共に、記録ヘッド２０２から超浸透インクが吐出されて記録が行われる。このとき、記録ヘッド２０３は、記録ヘッド２０１よりも走査方向の前方に位置することになる。従って、一回の走査で記録領域の記録を行いながら、緩浸透インクを記録ヘッド２０３から所定領域に吐出し、続いてその部分に記録ヘッド２０２によって超浸透インクを吐出することが可能である。
【００３５】
Ｘ方向への走査が行われると、記録ヘッドの移動方向が折り返されて−Ｘ方向への走査が行われる。−Ｘ方向へ記録ヘッドの走査が行われる際には、緩浸透インクを吐出する記録ヘッド２０１と、超浸透インクを吐出する記録ヘッド２０２が用いられて記録が行われる。このとき、記録ヘッド２０１は、記録ヘッド２０２よりも走査方向の前方に位置することになる。従って、−Ｘ方向への走査においても、一回の走査で記録領域の記録を行いながら、緩浸透インクを記録ヘッド２０１から所定領域に吐出し、続いてその部分に記録ヘッド２０２によって超浸透インクを吐出することができる。このように、図６（ｆ）に示される非エッジ部データ２００３のうちのＸ方向に走査する際に記録される上半分のデータは、超浸透インクを吐出する記録ヘッド２０２及び緩浸透インクを吐出する記録ヘッド２０３へ振り分けられる。このとき、記録ヘッド２０２へ振り分けられるデータは図６（ｈ）の上半分であり、記録ヘッド２０３へ振り分けられるデータは図６（ｉ）の上半分である。また、非エッジ部データ２００３のうちの−Ｘ方向に走査する際に記録される下半分のデータは、緩浸透インクを吐出する記録ヘッド２０１及び超浸透インクを吐出する記録ヘッド２０２へ振り分けられる。同様に、記録ヘッド２０１に振り分けられるデータは図６（ｇ）の下半分であり、記録ヘッド２０２へ振り分けられるデータは図６（ｈ）の下半分である。
【００３６】
以上から、それぞれの記録ヘッドが記録するデータは、以下の通りである。記録ヘッド２０１で記録するデータは、エッジ部データ図６（ｃ）と非エッジ部データ図６（ｇ）の論理和（図６（ｊ））である。記録ヘッド２０２で記録するデータは、エッジ部データ図６（ｄ）と非エッジ部データ図６（ｈ）の論理和（図６（ｋ））である。記録ヘッド２０３で記録するデータは、エッジ部データ図６（ｅ）と非エッジ部データ図６（ｉ）の論理和（図６（ｌ））である。
【００３７】
また、本発明には、上述のようなインクジェット記録方法により、記録媒体の記録対象領域に対しインクジェット記録装置によってインクを吐出させて記録を行う際に、インクジェット記録装置を制御させるプログラムが含まれる。
【００３８】
本実施形態で使用されるインクの組成は次の通りである。なお、各成分の割合は質量部で示したものである（各成分の合計は１００質量部）。
【００３９】
（超浸透インク）
顔料分散液                                        ５０質量部
グリセリン                                        １０質量部
ポリエチレングリコール１０００                    １質量部
アセチレノールＥ１００（川研ファインケミカル製）  １質量部
水                                                残部
【００４０】
（緩浸透インク）
顔料分散液                                        ５０質量部
グリセリン                                        １０質量部
ポリエチレングリコール１０００                    １質量部
アセチレノールＥ１００（川研ファインケミカル製）  ０．０３質量部
水                                                残部
また、上記顔料分散液は、次のようにして得たものである。
【００４１】
［顔料分散液］
表面積が２３０ｍ2／ｇでＤＢＰ吸油量が７０ｍｌ／１００ｇのカーボンブラック１０ｇとｐ−アミノ安息香酸３．４１ｇとを水７２ｇによく混合した後、これに硝酸１．６２ｇを滴下して７０℃で攪拌した。数分後５ｇの水に１．０７ｇの亜硝酸ナトリウムを溶かした溶液を加え、更に１時間攪拌した。得られたスラリーを東洋濾紙Ｎｏ．２（アドバンティス社製）でろ過し、顔料粒子を十分に水洗し、９０℃のオーブンで乾燥させた後、この顔料に水を足して顔料濃度１０質量％の顔料水溶液を作成した。以上の方法により、表面にフェニル基を介して親水性基が結合したアニオン性に帯電した自己分散型カーボンブラックが分散した顔料分散液を得た。
【００４２】
本実施形態で採用したインク組成は、本発明が適用できる１例であり、同系色で、相対的な浸透性が異なる２つのインクを用いればよい。
【００４３】
本実施形態で用いた色材は自己分散型顔料と呼ばれるものであり、顔料粒子に親水基が付いたものである。一方で、樹脂分散型顔料と呼ばれる、顔料粒子に樹脂が付いており、その樹脂の親水基が水溶性を発揮するものもある。発明者らの検討によれば、本発明を適用するためには、より望ましくは自己分散型顔料を使用した方が良いが、樹脂分散型顔料でも発明の効果は得られた。
【００４４】
超浸透インクおよび緩浸透インクの浸透性の違いは、表面張力によって規定される。超浸透インクの表面張力は緩浸透インクの表面張力よりも小さく、かつ、超浸透インクの表面張力は２０ｍＮ／ｍ以上４０ｍＮ／ｍ以下、緩浸透インクの表面張力は４０ｍＮ／ｍ以上 ６０ｍＮ／ｍ以下であれば、本発明の効果が得られた。表面張力を制御するために、本実施形態においては、アセチレノールＥ１００（商品名；川研ファインケミカル社製）（エチレンオキサイド−２，４，７，９−テトラメチル−５−デシン−４，７−ジオール(ｅｔｈｙｌｅｎｅ ｏｘｉｄｅ−２，４，７，９−ｔｅｔｒａｍｅｔｈｙｌ−５−ｄｅｃｙｎｅ−４，７−ｄｉｏｌ)）という界面活性剤が用いられる。この界面活性剤によって、超浸透インクと緩浸透インクの浸透性を相対的に変化させているが、そのほかの溶剤によって変化させても良い。
【００４５】
このように、外周領域（エッジ部）に対しては緩浸透インクによって記録を行うことで、記録画像の滲みが低減されて記録画像の品質の低下を抑えつつ、画像の濃度を上げることができる。また、内部領域（非エッジ部）に対しては、緩浸透インクに続いて超浸透インクで記録することで、超浸透インクの記録媒体内部への浸透の度合いを抑制させることができる。従って、記録媒体の表面にインクの色材を多く残留させることができるので、内部領域の光学濃度を上げることができる。また、緩浸透インクのみによって記録が行われる場合に比べて、インクの色材が記録媒体の表面から盛り上がって残ることが抑えられる。従って、記録媒体の表面よりも上方に残ったインクの色材が、ユーザーの手やその他のものに接触することによって記録画像が汚れ、記録画像の品質を低下させることを抑えることができる。このように、記録媒体の表面よりも上方に盛り上がって残るインクを低減させることで、記録画像の耐擦過性及び耐マーカー性を向上させることができる。
【００４６】
（第二実施形態）
次に、本発明の第二実施形態に係るインクジェット記録装置による記録について説明する。なお、上記第一実施形態と同様に構成される部分については図中同一符号を付して説明を省略し、異なる部分についてのみ説明する。
【００４７】
第一実施形態では、エッジ部で緩浸透インクが打ち込まれると共に、非エッジ部の全てにおいて、先に緩浸透インクが打ち込まれ、その後に同一領域に対してインクを重ねるように超浸透インクが打ち込まれて記録が行われている。これに対して第二実施形態では、スループットを向上させるために、エッジ部及び非エッジ部で、一部のデータが間引かれて記録されている。そして、非エッジ部において、緩浸透インクにより記録されたドットと超浸透インクにより記録されたドットとが合わせられて互いに補完することで全体の記録画像が得られるように記録が行われている。本実施形態では、非エッジ部において、緩浸透インクによって記録された領域と超浸透インクによって記録された領域とが隣接するように記録が行われている。
【００４８】
個々の吐出口から連続的にインクを吐出する際には、インクの吐出を行うために記録素子に一旦エネルギーが加えられ、それから再度エネルギーが記録素子に加えられるのに一定の時間が必要となる。また、インクを吐出した後に、個々のノズルへインクを補給するためにインクのリフィル時間が必要となる。また、一定の時間ごとに、一定量の記録データを記憶領域に送信するための時間が必要になる。ここで、１回の走査で１つの記録ヘッドが記録可能なドットの数（以下、走査解像度とも言う）は、記録ヘッドの構成に強く依存する。記録ヘッドの構成を変えてその記録ヘッドの走査解像度を上げようとすると、記録ヘッドの構造を大きく変える必要があり、そこでコストアップをもたらしてしまう。
【００４９】
そこで、本実施形態では、１つの記録ヘッドが一回の走査で分担する記録ヘッドの走査方向（Ｘ方向又は−Ｘ方向）に関する記録可能なドットの数を、一つの記録ヘッドのみで記録する場合のｎ分の１としている。これだけではデータが欠落してしまうため、本実施形態では複数並べられた記録ヘッドに記録データを振り分けることにより、記録データを複数の記録ヘッドによって相互に補うこととしている。本実施形態では特に、１つの記録ヘッドが一回の走査で分担する記録ヘッドの走査方向に関する記録可能なドットの数を、一つの記録ヘッドのみで記録する場合の２分の１としている。そして、記録ヘッドのそれぞれにおける画素の数を、単一の記録ヘッドからインクを吐出することで形成される画素の数の２分の１としている。このように、本実施形態では、記録媒体に記録ヘッドからインクを吐出させる記録データを、それぞれの記録ヘッドに振り分けることで、一つの記録ヘッド当たりのインクの吐出数に対応する記録データの画素数を減少させている。
【００５０】
第二実施形態のフローでは、第一実施形態のフローと比較してエッジ処理以降が異なるので、図７および図８を用いてエッジ処理について説明する。ここで、２値化されたブラックデータについて、図８（ａ）に示す。図８（ａ）の中央部から横方向に示される点線は、記録ヘッドの走査方向が異なる領域の境界を示す。点線より上部は、記録ヘッドの走査方向がＸ方向（図８での右方向）のときに記録される画素であり、点線より下部は、記録ヘッドの走査方向が−Ｘ方向（図８での左方向）のときに記録される画素である。本実施形態では、記録ヘッド２０１、２０２、２０３における記録媒体の搬送方向に沿った長さは、図８（ａ）の縦方向の両端部の間の長さの半分であり、点線から縦方向の一方の端部までの長さである。
【００５１】
また、詳しくは後述するが、図８は記録ヘッド２０１〜２０３にデータを振り分けるための説明図であり、図８（ｃ）、（ｇ）、（ｊ）は、記録ヘッド２０１に対応している。同様に、図８（ｄ）、（ｈ）、（ｋ）は記録ヘッド２０２に、図８（ｅ）、（ｉ）、（ｌ）は記録ヘッド２０３に対応している。
【００５２】
まず、非エッジ部検出処理２００１を行う。２値化されたブラックデータのうちの、内部領域のデータ、つまり、非エッジ部データ２００３が生成される。２値ブラックデータのうちの、非エッジ部データに該当しなかったデータを、エッジ部データ２１０３とする。非エッジ部検出処理２００１を行って得られた非エッジ部データ２００３及びエッジ部データ２１０３について、図８（ｆ）及び図８（ｂ）に示す。本実施形態では、外周領域（エッジ部）の幅を２画素分とする。
【００５３】
本実施形態のエッジ部データ２１０３は、そのデータのカラム位置に応じて、２つの記録ヘッドへ振り分けられる。エッジ部データ２１０３のうち奇数カラムのデータについては記録ヘッド２０１によって記録され、偶数カラムのデータについては記録ヘッド２０３によって記録される。ここでは、「奇数カラム」、「偶数カラム」とは、データにおけるカラムの位置について、左端部のカラムから奇数番目のカラムか偶数番目のカラムかのことを言うものとする。
【００５４】
非エッジ部データ２００３においては、そのデータのカラム位置だけでなく、キャリッジ１０６及び記録ヘッド２０１〜２０６の走査方向に応じて、３つの記録ヘッドへデータが振り分けられる。非エッジ部への記録において走査方向がＸ方向である場合には、図８（ｈ）、（ｉ）に示されるように、奇数カラムのデータを記録ヘッド２０２、偶数カラムのデータを記録ヘッド２０３で記録する。走査方向が−Ｘ方向である場合には、図８（ｇ）、（ｈ）に示されるように、奇数カラムのデータを記録ヘッド２０１、偶数カラムのデータを記録ヘッド２０２で記録する。
【００５５】
図８（ｂ）のエッジ部データ２１０３を記録する場合には、そのカラム位置に応じて、図８（ｃ）の奇数カラムのデータを記録ヘッド２０１によって記録し、図８（ｅ）の偶数カラムのデータを記録ヘッド２０３で記録する。従って、エッジ部データ２１０３は、全て緩浸透インクによって記録される。
【００５６】
図８（ｆ）の非エッジ部データ２１０３の記録においては、走査方向がＸ方向（点線よりも上部の領域）の記録の際には、偶数カラムのデータを記録ヘッド２０３によってまず記録し、同じ走査で奇数カラムのデータを記録ヘッド２０２によって記録する。走査方向が−Ｘ方向（点線よりも下部の領域）の記録の際には、奇数カラムのデータを記録ヘッド２０１によって記録し、偶数カラムのデータを記録ヘッド２０２によって記録する。このように、走査方向の前方の記録ヘッドで緩浸透インクによる記録が行われ、それと同じ走査で走査方向の後方の記録ヘッドで超浸透インクによる記録が行われる。従って、先に緩浸透インクにより記録が行われ、その後に超浸透インクによる記録が行われる。
【００５７】
非エッジ部データ２１０３の上部下部を合わせて、図８（ｇ）〜（ｉ）に示す。また、非エッジ部データ２１０３の記録において、記録ヘッド２０１で記録するデータを図８（ｇ）に示し、記録ヘッド２０２で記録するデータを図８（ｈ）に示し、記録ヘッド２０３で記録するデータを図８（ｉ）に示す。以上から、第二実施形態において、それぞれの記録ヘッドが記録するデータは、以下の通りである。記録ヘッド２０１で記録するデータは、エッジ部データ図８（ｃ）と非エッジ部データ図８（ｇ）の論理和（図８（ｊ））である。記録ヘッド２０２で記録するデータは、エッジ部データ図８（ｄ）と非エッジ部データ図８（ｈ）の論理和（図８（ｋ））である。記録ヘッド２０３で記録するデータは、エッジ部データ図８（ｅ）と非エッジ部データ図８（ｉ）の論理和（図８（ｌ））である。
【００５８】
図８に示されるように、それぞれの記録ヘッド２０１〜２０３がそれぞれの走査で記録するデータは走査方向に関して間引かれており、第一実施形態と比較して、一回の走査で記録可能なデータのうちの半分のデータを記録する。このため、走査ごとの、記録データをデータ記憶領域に転送するデータ転送のための時間やインクのリフィル時間が半分で済むため、記録ヘッドの走査速度を２倍に上げることができる。例えば、走査解像度が１２００ｄｐｉである構成をとった場合の走査速度が２５ｉｐｓ（ｉｎｃｈｅｓ／ｓｅｃｏｎｄ）である場合には、走査解像度を６００ｄｐｉへ下げることができる。このため、記録ヘッドの走査速度を５０ｉｐｓまで上げることが可能となり、記録にかかる時間も短くなる。従って、本実施形態の記録方法によって記録を行うことにより、記録ヘッドの走査速度を向上させることができるので、記録のスループットを向上させることができる。また、それと共に、内部領域の耐擦過性を向上させることができる。
【００５９】
本実施形態では、非エッジ部（内部領域）に対して、先行して緩浸透インクを吐出し、カラム位置によって間引かれたデータを記録する。その後、緩浸透インクの吐出が間引かれた部分に対し、超浸透インクを吐出して記録する。このとき、緩浸透インクで記録される記録領域（第１の記録領域）と、超浸透インクで記録される記録領域（第２の記録領域）とが、少なくとも一部が接するように記録されている。緩浸透インクによって記録される記録領域と、超浸透インクによって記録される記録領域とが接することで、記録媒体表面で緩浸透インクと超浸透インクとが混合される。これにより、内部領域の耐擦過性及び耐マーカー性を向上させると共に、記録画像の光学濃度を増大させることができる。
【００６０】
また、スループットの向上のために、Ｘ方向と−Ｘ方向の両方の双方向記録で、緩浸透インクの後に超浸透インクを吐出するのであれば、それぞれの方向への記録で緩浸透インクと超浸透インクとを吐出するための二つの記録ヘッドが必要である。従って、Ｘ方向への記録と、−Ｘ方向への記録との両方で、緩浸透インクを吐出した後に超浸透インクを吐出するためには、通常、合計４つの記録ヘッドが必要とされると考えられる。しかしながら、本実施形態のインクジェット記録装置における記録ヘッドの配置構成では、超浸透インクを吐出する記録ヘッドが一つ配置されているだけである。すなわち、Ｘ方向への走査の際の記録と、−Ｘ方向への走査の際の記録とで、超浸透インクを吐出する記録ヘッドを共用している。これにより、超浸透インクを吐出する記録ヘッドの個数を減少させ、インクジェット記録装置の構成を簡素化させている。これにより、インクジェット記録装置を小型化すると共に、インクジェット記録装置の製造コストを低く抑えることができる。
【００６１】
なお、本実施形態では、内部領域（非エッジ部）への記録において、最後続の記録ヘッド、すなわち−Ｘ方向への走査での記録ヘッド２０３、Ｘ方向への走査での記録ヘッド２０１からは、インクの吐出を行っていないが、本発明はこれに限定されない。最後続の記録ヘッドからインクの吐出を行う場合、耐擦過性及び耐マーカー性が低下する可能性があるが、それを許容できるのであれば、最後続の記録ヘッドからインクの吐出を行っても良い。その場合には、記録画像の光学濃度をさらに増加させることができる。最後続の記録ヘッドを用いて記録を行うかどうかについては、設計時に、記録装置の製品ごとに調整すれば良い。
【００６２】
このように、本実施形態では、内部領域（非エッジ部）への記録において、緩浸透インク及び超浸透インクの記録を、カラムごとに分けて記録を行う。このとき、内部領域においては、記録媒体にインクが付与される際に、第一実施形態のように、緩浸透インクの上に超浸透インクが重ねられるように記録媒体上の同じ位置（画素）にインクの吐出が行われなくとも良く、異なる位置でもよい。本発明は、緩浸透インクが超浸透インクよりも先に内部領域に吐出されればよいため、記録媒体上で緩浸透インクのドットと超浸透インクのドットとが隣接するようにインクの吐出が行われれば良い。緩浸透インクのドットと超浸透インクのドットが、記録媒体上で少なくとも一部が重なるようにそれぞれの記録ヘッドからインクを吐出するためのデータを生成しても良い。このように記録が行われることでも本発明の効果を得ることができる。なお、本実施形態では、カラムごとに超浸透インクによって形成されるドットと緩浸透インクにより形成されるドットが使い分けられているが、本発明はこれに限定されない。超浸透インクによって形成されるドットと緩浸透インクにより形成されるドットが、千鳥格子状に分けられても良いし、その他の分け方が採用されても良い。
【００６３】
（第三実施形態）
次に、本発明の第三実施形態に係るインクジェット記録装置による記録について説明する。なお、上記第一実施形態及び第二実施形態と同様に構成される部分については図中同一符号を付して説明を省略し、異なる部分についてのみ説明する。
【００６４】
第一実施形態及び第二実施形態では、外周の縁部から１画素もしくは２画素の幅を記録領域におけるエッジ部として記録画像を形成している。これに対して本実施形態では、エッジ部として４画素が選択されて記録を行う。図９を用いて、それぞれのデータの記録ヘッドへの分配について説明する。
【００６５】
画像の記録がより高解像度になると、エッジ部の幅（以下、エッジ画素数と呼ぶ）もそれに応じてより増加させた方が望ましい。エッジ画素数は、解像度によっておおよそ決定される記録ヘッドからのインクの吐出量に依存する。例えば、６００×６００ｄｐｉの解像度でインクの吐出を行う記録ヘッドによって画像を形成する場合には、記録ヘッドから吐出するインクの量（すなわち吐出量）として、１５〜３０ｐｌ程度のインク吐出量が選択されて記録装置が設計されることが多い。この場合の普通紙でのドット径は、６０μｍ程度であることが多い。
【００６６】
また、例えば１２００×１２００ｄｐｉの解像度でインクの吐出を行うことのできる記録ヘッドによって画像を形成する場合には、記録ヘッドから吐出するインクの量（すなわち吐出量）として、４〜１５ｐｌ程度が選択されて記録装置が設計されることが多い。この場合、記録媒体上に吐出されたインクによるドット径は、普通紙上で３０μｍ程度であることが多い。
【００６７】
内部領域のインクが外周領域を超えて記録したい画像よりもはみ出ることは望ましくない。そのため、緩浸透インクによって形成された外周領域がある程度の幅を有していることが好ましい。内部領域の外側にある程度の幅を有する外周領域が形成されていることで、内部領域に吐出される超浸透インクによる滲みが外周領域を超えて、外周領域の外側にはみ出すことが抑えられる。解像度が高くなっても、超浸透インクによる滲みが外周領域を超えないように、外周領域の幅が保たれることが望ましい。上述の例の６００×６００ｄｐｉと１２００×１２００ｄｐｉとの解像度の記録の例で考慮すると、６００×６００ｄｐｉの場合にエッジ画素数が十分であれば、１２００×１２００ｄｐｉでのエッジ画素数は６００×６００ｄｐｉの場合の２倍程度であれば良い。このように解像度に応じて画素数を選択することで、外周領域（エッジ部）の幅が保たれ、外周領域を超える内部領域からの超浸透インクによる滲みを抑えることができる。そのため、記録画像の品質の低下を抑えることができる。このように、エッジ部の領域の幅（外周領域の幅）が内部領域に打ち込まれる超浸透インクと外部領域に打ち込まれる緩浸透インクの浸透性の差によって決められ、画素数は解像度に応じて決定されることが望ましい。そのため、記録ヘッドによるインク吐出の解像度が高解像度に設定されている場合には、それに応じてエッジ部を形成する画素数を増加させることが望ましい。
【００６８】
（第四実施形態）
次に、本発明の第四実施形態に係るインクジェット記録装置による記録について説明する。なお、上記第一実施形態ないし第三実施形態と同様に構成される部分については図中同一符号を付して説明を省略し、異なる部分についてのみ説明する。
【００６９】
第一実施形態ないし第三実施形態における記録装置では、緩浸透インクを吐出する二つの記録ヘッドと、超浸透インクを吐出する一つの記録ヘッドとの計三つの記録ヘッドが用いられて記録が行われている。これに対して本実施形態における記録装置では、緩浸透インクを吐出する一つの記録ヘッドと、超浸透インクを吐出する一つの記録ヘッドとの計二つの記録ヘッドのみを用いて記録を行う。本実施形態では、第一実施形態ないし第三実施形態の記録ヘッドと比較して若干スループットが落ちるが、記録ヘッドの数が少なくて済むため、記録装置のコストを低減させることができる。
【００７０】
以下、本実施形態に係る記録装置の記録ヘッド３０１〜３０５について説明する。本実施形態の記録ヘッド３０１〜３０５は、それぞれ５つのインク（ブラック（緩浸透インク）、ブラック（超浸透インク）、シアン、マゼンタ、イエロー：Ｋｅ、Ｋｍ、Ｋｅ、Ｃ、Ｍ、Ｙ）を吐出可能に構成されている。記録ヘッド３０１〜３０５のうち、ブラックのインクを吐出する記録ヘッドは、記録ヘッド３０１、３０２である。さらにこれらのブラックのインクを吐出する記録ヘッドのうち、記録ヘッド３０１が、比較的記録媒体に浸透しにくい緩浸透インクを吐出する。また、記録ヘッド３０２が、比較的記録媒体に浸透しやすい超浸透インクを吐出する。
【００７１】
また、説明のため、記録ヘッド３０１、３０２を記録媒体の搬送方向に２分割し、領域ごとにインクを吐出する２パス記録の形態を用いて説明する。記録ヘッド３０１の上半分（記録媒体の搬送方向の上流側）を３０１ａとし、下半分（記録媒体の搬送方向の下流側）を３０１ｂ、記録ヘッド３０２の上半分を３０２ａ、下半分を３０２ｂとする。
【００７２】
ここで、走査開始方向という判断基準について説明する。例えば本実施形態の記録装置が２パス双方向記録の形式である場合には、記録ヘッドの一回の走査が終わるごとに、記録ヘッドが記録できる幅の半分の距離だけ、記録媒体を搬送する。記録媒体を固定して考えた方が理解し易いので、記録媒体を固定として、図１１を用いて説明する。
【００７３】
本実施形態では、同一の記録対象領域に対して記録ヘッドが複数回走査することで記録対象領域上を複数回通過し、その度にインクの吐出が行われ、複数回の走査によって画像が記録されるマルチパス方式のインクジェット記録装置を用いている。本実施形態の２パス記録では、記録ヘッドが同一の記録対象領域に対して２回の走査を行うことで画像を記録する。
【００７４】
また、本実施形態では、記録ヘッドに形成された複数の吐出口が、複数の領域に区画されている。記録媒体の搬送方向に沿って区画された半分の吐出口が一回目の走査で記録対象領域上を通過し、二回目の走査で残りの吐出口が記録対象領域上を通過する。そのため、二回の走査で記録対象領域の画像の記録が完成する。この記録対象領域における画像のうち、内部領域に対しては、先に緩浸透インクを吐出する記録ヘッドに形成された複数の吐出口のうち、区画された一部の吐出口からインクを吐出して記録が行われる（第３の記録シーケンス）。そして、その後に、超浸透インクを吐出する記録ヘッドに形成された複数の吐出口のうち、区画された一部の吐出口からインクを吐出して記録が行われる（第４の記録シーケンス）。
【００７５】
記録ヘッドをＸ方向に走査させて領域（１）を記録した後、記録媒体を搬送させて、その後、記録ヘッドを−Ｘ方向に走査させて領域（１）および（２）を記録する。それから再び記録媒体を搬送し、記録ヘッドをＸ方向に走査して領域（２）および（３）を記録する。これらの走査と記録媒体の搬送とを繰り返すことで、画像データを記録媒体へ記録する。
【００７６】
ここで、領域（１）に着目すると、記録ヘッドのＸ方向の走査による記録に引き続いて、−Ｘ方向の走査による記録が行われる。また、領域（２）に着目すると、記録ヘッドの−Ｘ方向の走査による記録に引き続いて、Ｘ方向の走査による記録が行われる。すなわち、記録媒体に対して最初に記録が行われるときの記録ヘッドの走査方向は、記録媒体上の領域によって異なる。領域（１）や（３）のように、最初に記録が行われる際の記録ヘッドの走査方向がＸ方向である場合、本明細書上では、「走査開始方向がＸ方向である」と表現する。同様に、領域（２）や（４）のように、最初に記録が行われる際の記録ヘッドの走査方向が−Ｘ方向である場合、本明細書上では、「走査開始方向が−Ｘ方向である」と表現する。
【００７７】
ここで図１０を参照して、記録媒体にインクを付与する順序について説明する。図１０（ａ）に記録ヘッド３０１〜３０５のうちブラックのインクを吐出する記録ヘッド３０１、３０２を示す。このうち、記録ヘッド３０１は緩浸透インクを吐出する記録ヘッドであり、記録ヘッド３０２は超浸透インクを吐出する記録ヘッドである。図１０（ｂ）、（ｃ）にそれぞれの記録ヘッドからインクを吐出する順序について示す。図１０（ｂ）は−Ｘ方向への走査によって記録が開始された記録領域のインクが付与される順序について示されている。また、図１０（ｃ）はＸ方向への走査によって記録が開始された記録領域のインクが付与される順序について示されている。
【００７８】
図１０（ｂ）を用いて、記録媒体における走査開始方向が−Ｘ方向である領域に対する記録について説明する。一回目の走査で、内部領域と外周領域に記録ヘッド３０１ａから緩浸透インク３１１ａを吐出すると共に、内部領域に記録ヘッド３０２ａから超浸透インク３１２ａを吐出する。一回の走査を終えると、記録媒体が所定距離搬送され、そこで走査方向が切り替わり、記録ヘッド３０１〜３０５はＸ方向へ走査しながらインクの吐出を行う。記録ヘッドがＸ方向へ走査を行う際には、外周領域に対し、記録ヘッド３０１ｂによって緩浸透インク３１１ｂの吐出を行いながら記録が行われる。
【００７９】
次に、図１０（ｃ）を用いて、記録媒体における走査開始方向がＸ方向である領域に対する記録について説明する。一回目の走査で、内部領域と外周領域に記録ヘッド３０１ａから緩浸透インク３２１ａを吐出する。一回の走査が終わると、記録媒体が所定距離搬送され、そこで走査方向が切り替わり、記録ヘッドが−Ｘ方向に走査しながらインクの吐出を行う。記録ヘッドが−Ｘ方向へ走査を行う際には、外周領域に記録ヘッド３０１ｂから緩浸透インク３２１ｂを吐出すると共に、内部領域に記録ヘッド３０２ｂから超浸透インク３２２ｂを吐出する。本実施形態では、緩浸透インクを吐出する記録ヘッド３０１ｂは、外周領域のみにインクの吐出を行い、超浸透インクを吐出する記録ヘッド３０２ａ、３０２ｂは、内部領域にのみインクの吐出を行う。
【００８０】
次に、２値化されたブラックデータについて行われるエッジ処理について説明する。図１２に、エッジ処理の工程の図を示す。まず、非エッジ部検出処理５００１を行う。２値化されたブラックデータのうちの、非エッジ部のデータ、つまり、非エッジ部データ５００３が生成される。２値化されたブラックデータのうちの、非エッジ部データに該当しなかったデータを、エッジ部データ５１０３とする。本実施形態では、エッジ画素として、２画素を選択する。本実施形態では、記録ヘッドの走査開始方向に応じて、データをそれぞれの記録ヘッドに分配する。
【００８１】
エッジ部データ５１０３は、記録ヘッド走査開始方向がＸ方向の領域であれば、奇数カラムのデータは記録ヘッド３０１ａで記録し、偶数カラムのデータは記録ヘッド３０１ｂで記録する。記録ヘッド走査開始方向が−Ｘ方向の領域であれば、奇数カラムのデータは記録ヘッド３０１ｂで記録し、偶数カラムのデータは記録ヘッド３０１ａで記録する。
【００８２】
非エッジ部データ５００３は、記録ヘッドの走査開始方向がＸ方向の領域であれば、奇数カラムのデータは記録ヘッド３０１ａで記録し、偶数カラムのデータは記録ヘッド３０２ｂで記録する。記録ヘッドの走査開始方向が−Ｘ方向の領域であれば、奇数カラムのデータは記録ヘッド３０２ａで記録し、偶数カラムのデータは記録ヘッド３０１ａで記録する。
【００８３】
図１３を用いて、これらの関係を説明する。前述の実施形態と同様に、図１３（ｃ）、（ｈ）、（ｌ）は、記録ヘッド３０１ａに対応している。同様に、図１３（ｄ）、（ｉ）、（ｍ）は記録ヘッド３０２ａに、図１３（ｅ）、（ｊ）、（ｎ）は記録ヘッド３０１ｂに、図１３（ｆ）、（ｋ）、（ｏ）は記録ヘッド３０２ｂに対応している。
【００８４】
２値化されたブラックデータにより記録媒体に打ち込まれる画素について図１３（ａ）に示す。図１３（ａ）から中央部横方向に延びるように示される点線は、記録ヘッドの走査開始方向が変化する位置を示す。
【００８５】
点線より上部は、図１１での領域（１）や（３）のような記録ヘッドの走査開始方向がＸ方向（図１３での右方向）の領域であり、点線より下部は、図１１での領域（２）や（４）のような記録ヘッドの走査開始方向が−Ｘ方向（図１３での左方向）の領域である。記録データは、非エッジ部検出処理２００１が行われて、非エッジ部データ５００３とエッジ部データ５１０３が生成される。
【００８６】
図１３（ｂ）に、図１３（ａ）に示される２値化されたブラックデータのうち、エッジ部データ５１０３について示す。エッジ部データ５１０３のうち、記録ヘッドの走査開始方向がＸ方向の領域（点線より上部）であれば、奇数カラムのデータは記録ヘッド３０１ａに振り分けられて記録される（図１３（ｃ））。また、エッジ部データ５１０３のうち、記録ヘッドの走査開始方向がＸ方向の領域における偶数カラムのデータは記録ヘッド３０１ｂに振り分けられて記録される（図１３（ｅ））。エッジ部データ５１０３のうち、記録ヘッドの走査開始方向が−Ｘ方向の領域（点線より下部）であれば、奇数カラムのデータは記録ヘッド３０１ｂに振り分けられて記録される（図１３（ｅ））。また、エッジ部データ５１０３のうち、記録ヘッドの走査開始方向が−Ｘ方向の領域における偶数カラムのデータは記録ヘッド３０１ａに振り分けられて記録される（図１３（ｃ））。
【００８７】
図１３（ｇ）に、図１３（ａ）に示される２値化されたブラックデータのうち、非エッジ部データ５００３について示す。図１３（ｇ）に示される非エッジ部データ５００３のうち、記録ヘッドの走査開始方向がＸ方向の領域（点線より上部）における、奇数カラムのデータについては記録ヘッド３０１ａに振り分けられる。そして、記録ヘッド３０１ａに振り分けられたデータに応じて、記録ヘッド３０１ａによって記録される（図１３（ｈ））。また、非エッジ部データ５００３のうち、記録ヘッドの走査開始方向がＸ方向の領域における、偶数カラムのデータについては記録ヘッド３０２ｂに振り分けられ、記録ヘッド３０２ｂによって記録される（図１３（ｋ））。
【００８８】
また、非エッジ部データ５００３のうち、記録ヘッドの走査開始方向が−Ｘ方向の領域（点線より下部）であれば、奇数カラムのデータについては記録ヘッド３０２ａに振り分けられて記録される（図１３（ｉ））。非エッジ部データ５００３のうち、記録ヘッドの走査開始方向が−Ｘ方向の領域における偶数カラムのデータについては、記録ヘッド３０１ａに振り分けられて記録される（図１３（ｈ））。
【００８９】
以上から、それぞれの記録ヘッドが記録するデータは、以下の通りである。記録ヘッド３０１ａによって記録されるデータは、エッジ部データ図１３（ｃ）と非エッジ部データ図１３（ｈ）との論理和の図１３（ｌ）である。記録ヘッド３０２ａによって記録されるデータは、エッジ部データ図１３（ｄ）と非エッジ部データ図１３（ｉ）との論理和の図１３（ｍ）である。また、記録ヘッド３０１ｂによって記録されるデータは、エッジ部データ図１３（ｅ）と非エッジ部データ図１３（ｊ）との論理和の図１３（ｎ）である。また、記録ヘッド３０２ｂによって記録されるデータは、エッジ部データ図１３（ｆ）と非エッジ部データ図１３（ｋ）との論理和の図１３（ｏ）である。
【００９０】
図１３に示されるように、それぞれの記録ヘッド３０１、３０２によって記録されるデータは主走査方向（図１のＸ方向、図１３での横方向）に関して間引かれており、一回の走査につき、記録されるデータのうちの半分のデータについての記録が行われる。このため、一回の走査で全ての記録データについての記録が行われる場合に比べて記録ヘッドへのデータ転送にかかる時間やリフィル時間が半分で済む。そのため、記録ヘッドの主走査速度を２倍に上げることができる。例えば、記録ヘッドの走査解像度が１２００ｄｐｉである構成をとった場合の主走査速度が２５ｉｐｓである場合には、一回の走査で記録される記録データが間引かれることで記録されるドット数が６００ｄｐｉに下げることができる。これにより、記録ヘッドの主走査速度を５０ｉｐｓまで上げることが可能となる。このため、記録全体にかかる時間が短縮化され、記録のスループットが向上する。
【００９１】
図１４を参照してさらに説明する。図１４（ａ）及び図１４（ｂ）において、走査開始方向は、領域（１）及び領域（３）ではＸ方向、領域（２）では−Ｘ方向である。本実施形態では、走査開始方向がＸ方向か−Ｘ方向かに関わらず、外周領域（エッジ部）への記録においては、記録ヘッド３０１ａからのインクの吐出に引き続いて記録ヘッド３０１ｂからインクの吐出を行う。記録ヘッド３０１ａ及び記録ヘッド３０１ｂの両方の記録ヘッドからインクの吐出を行って記録が行われることで、一回の走査で記録されるドット数を低減させても、その分をお互いの記録ヘッドからのインクの吐出によって補完できる。内部領域への記録においては、全ての領域で記録ヘッド３０１ａから緩浸透インクの吐出が行われる。ここでの記録では、データの半分が間引かれており、記録ヘッド３０１ａからのインクの吐出によって記録されなかった部分について補完するために、他の記録ヘッドによってインクの吐出が行われる。
【００９２】
図１４（ａ）の領域（１）に示されるように、走査開始方向が−Ｘ方向である場合には、記録ヘッド３０１ａからのインクの吐出が行われる走査と同一の走査のときに記録ヘッド３０２ａからのインクの吐出によって記録が行われる。このとき、記録ヘッド３０２ａは、記録ヘッド３０１ａよりも走査方向の後方に位置しているので、記録ヘッド３０１ａからの緩浸透インクによるインクの吐出が行われてから、記録ヘッド３０２ａからの超浸透インクによるインクの吐出が行われる。そのため、記録媒体へのインクの吐出が行われる順序としては、緩浸透インクによるインクの吐出が行われた後に超浸透インクによるインクの吐出が行われる。
【００９３】
また、図１４（ａ）、（ｂ）に示されるように、走査開始方向がＸ方向である場合には、一回目の走査での記録の際に、記録ヘッド３０２ａからのインクの吐出は行われずに、記録ヘッド３０１ａからのインクの吐出が行われる。走査開始方向がＸ方向である場合に、記録ヘッド３０２ａからのインクの吐出によって記録が行われないのは、記録ヘッド３０１ａから緩浸透インクを記録する以前に、超浸透インクを吐出する記録ヘッド３０２ａが記録対象領域を通過してしまうからである。すなわち、このような場合には、本発明の構成要件であるところの、緩浸透インクに続いての超浸透インクによる記録を行うことができない。
【００９４】
記録ヘッド３０１ａからのインクの吐出による記録が行われ、一回の走査を終えると、走査方向が切り替えられて−Ｘ方向に走査する。このとき、図１４（ｂ）の領域（２）に示されるように、内部領域では記録ヘッド３０２ｂによって超浸透インクによるインクの吐出が行われて記録が行われる。
【００９５】
このように、走査開始方向がＸ方向であっても−Ｘ方向であっても、記録ヘッド３０２ａ、３０２ｂから吐出される超浸透インクは、先行して記録されている緩浸透インクの後に記録される。本実施形態において、先に吐出されている緩浸透インクのドットと、後から吐出される超浸透インクのドットとは、記録データ上で重複あるいは隣接しており、それぞれの記録データが少なくとも相互に接している。
【００９６】
このとき、緩浸透インクは浸透速度が相対的に遅いインクであるから、記録ヘッド３０２ａ、３０２ｂから吐出される超浸透インクが記録媒体表面に着弾するまで、記録媒体表面に留まっている。緩浸透インクと超浸透インクがお互いに接することで、それぞれが混合されて両者の浸透速度が平均化される。すなわち、緩浸透インクのみで記録した箇所よりも、浸透速度が速くなる。このように、画像の内部領域（非エッジ部）の一部に対して、浸透速度が遅いインクの後に浸透速度が速いインクを用いて記録を行うことにより、浸透速度が遅い緩浸透インクのみで記録する場合よりも耐擦過性を向上させることができる。
【００９７】
また、さらに記録ヘッド３０１ｂから吐出した緩浸透インクは、記録ヘッド３０１ａによって先行して記録されている緩浸透インクの上へ記録される。このとき緩浸透インクは浸透速度が遅いインクであるから、最後続の記録ヘッドから吐出されるインクが記録媒体表面に着弾するまで、記録媒体表面に留まっている。緩浸透インクと緩浸透インクが記録媒体表面で混合しても、浸透速度は速くはならず、遅い浸透速度のインクが２滴記録されただけである。画像の外周領域（エッジ部）に、浸透速度が遅いインクで記録することにより、画像端部のシャープネスを向上させることができ、文字品位や線品位が向上する。また、内部領域へ緩浸透インクに続いて超浸透インクで記録することで、超浸透インクのみによって記録が行われる場合と比較して内部領域の光学濃度を増大させることができる。
【００９８】
以上説明したように、本実施形態では、緩浸透インクを吐出する記録ヘッドと超浸透インクを吐出する記録ヘッドとのそれぞれの記録ヘッドについて、記録ヘッドを複数の領域に分割している。これにより、それぞれの記録ヘッドに形成された複数の吐出口が複数の領域に区画される。そして、内部領域への記録においては、緩浸透インクを吐出する記録ヘッドのうちの一部の領域が先に記録対象領域上を通過し、その後超浸透インクを吐出する記録ヘッドの一部が記録対象領域上を通過する。それぞれの記録ヘッドが記録領域上を通過するときにインクを記録領域に吐出することで記録が行われる。
【００９９】
記録ヘッドが走査を行いながら走査方向に関わらず記録対象領域に緩浸透インクを先に吐出し、その後記録対象領域に超浸透インクを吐出する場合には、通常、記録ヘッドが４つ必要とされると考えられる。しかしながら、第四実施形態では複数回の走査によって記録画像が形成されるマルチパス形式の記録装置が用いられ、それぞれの記録ヘッドに形成された複数の吐出口が複数の領域に区画されている。そして、記録ヘッドの走査方向に関わらず、緩浸透インクを吐出する記録ヘッドの一部によって記録対象領域を記録した後に、超浸透インクを吐出する記録ヘッドの一部によって記録対象領域を記録することが可能に形成されている。
【０１００】
このように、本実施形態では、緩浸透インクを吐出する一つの記録ヘッドと、超浸透インクを吐出する一つの記録ヘッドとの計二つの記録ヘッドを用いて記録を行う。第一実施形態ないし第三実施形態の記録ヘッドに比較して若干スループットが低下するが、記録ヘッドの数が少なくて済むため、記録装置のコストを低減させることができる。
【０１０１】
なお、緩浸透インクを吐出する記録ヘッドと超浸透インクを吐出する記録ヘッドとのそれぞれの記録ヘッドにおいて、複数の吐出口が二つの領域に区分されて分割されることとしたが、本発明はこれに限定されない。緩浸透インクを吐出する記録ヘッドと超浸透インクを吐出する記録ヘッドのそれぞれが、二つ以上の領域に分割されたとしても良い。このとき、緩浸透インクを吐出した後に超浸透インクを吐出するように順序が定められるのであれば、それぞれの記録ヘッドの領域の分割は二つでなくとも良い。また、本実施形態では２パス記録の例を用いて説明したが、本実施形態はこれに限るものではなく、３パス記録や４パス記録のような場合であってもよい。この場合も、記録対象領域に対する１走査目の記録において、先に緩浸透インクを吐出し、その後に超浸透インクを吐出するように記録ヘッドを制御すればよい。
【０１０２】
（第五実施形態）
次に、本発明の第五実施形態に係るインクジェット記録装置による記録について説明する。なお、上記第一実施形態ないし第四実施形態と同様に構成される部分については図中同一符号を付して説明を省略し、異なる部分についてのみ説明する。
【０１０３】
上述した第一実施形態ないし第四実施形態では、記録ヘッドから吐出されるインクの種類としてブラックのみが吐出される例について説明した。第五実施形態では、カラーインクによる記録と並行してブラックインクによる記録が行われる場合について説明する。
【０１０４】
カラーインクによって記録された画像とブラックインクによって記録された画像とがお互いに隣接して記録される場合には、それぞれの画像が隣接している部分については、エッジ部として記録するのではなく非エッジ部として記録を行う方が良いことが多い。カラー画像の記録と並行してブラックインクの記録を行う場合の、記録データの生成方法について図１５に示す。
【０１０５】
図１５（ａ）において、斜線部はカラー画像のデータであり、黒塗り部は図８（ａ）と同様に、ブラックインクにより記録される部分の２値化された記録データである。図１５（ｂ）にエッジ部データ２１０３について示し、図１５（ｆ）に非エッジ部データ２００３について示す。第二実施形態の図８と比較すると、図１５（ｂ）に示されるように、カラーインクによる記録される記録データと隣接している部分において、ブラック単独のデータではエッジと考えられていた部分の一部（右端部）が非エッジ部としてデータ生成されている。
【０１０６】
また、カラーの緩浸透インクとブラックの緩浸透インクとで記録媒体への浸透性ついて比較したときにカラーインクの浸透性の方が高い場合には、ブラックインクにおける相対的な浸透性をより高くした方が望ましい。そのような場合には、記録媒体に浸透しなかったブラックインクがカラーインクによって記録される部分のインクに混じり、ブラックインクがカラーインクによって記録される領域に流れ出してしまう可能性がある。そのため、ブラックインクとカラーインクとが隣接する領域でブラックインクによる記録対象領域を緩浸透インクのみで記録すると、記録画像の品質が低下する可能性がある。このような事態が発生することを防ぐために、ブラックインクの記録領域とカラーインクの記録領域とが隣接している場合には、ブラックインクにおける相対的な浸透性をより高くした方が画像品位が向上すると考えられる。
【０１０７】
（第六実施形態）
次に、本発明の第六実施形態に係るインクジェット記録装置による記録について説明する。なお、上記第一実施形態ないし第五実施形態と同様に構成される部分については図中同一符号を付して説明を省略し、異なる部分についてのみ説明する。
【０１０８】
第二実施形態ないし第五実施形態では、記録データを複数の記録ヘッドに振り分けることで、１つの記録ヘッドが分担する一回の走査での記録の際の走査方向（主走査方向）に関する記録可能なデータ上のドット数をデータ記録解像度の２分の１とした。こうすることで、記録ヘッドの走査速度を増大させ、記録の際のスループットを向上させている。これに加え、本実施形態では、緩浸透インクを吐出するための記録ヘッドの個数を増加させることで１つの記録ヘッドが分担する記録ヘッドの主走査方向（Ｘ方向）における記録すべきドット数をさらに減少させている。これにより、記録ヘッドの走査速度をさらに向上させ、記録のスループットを向上させることができる。
【０１０９】
図１６を用いて、記録ヘッドの構成と、インクの付与順序について説明する本実施形態では、記録ヘッドを計５つ用いている。超浸透インクを吐出する記録ヘッド４１２を挟むように、緩浸透インクを吐出する記録ヘッド４１１Ｌ、４１１Ｒ、４１３Ｌ、４１３Ｒが、記録ヘッド４１２の両側部に配置されている。本実施形態では、記録ヘッド４１２の図１６における左側に記録ヘッド４１１Ｌ、４１１Ｒが配置され、記録ヘッド４１２の図１６における右側に記録ヘッド４１３Ｌ、４１３Ｒが配置されている。
【０１１０】
本実施形態の記録装置によって記録されるときには、内部領域（非エッジ部）へは、先に緩浸透インクを吐出する２つの記録ヘッドによるインクの吐出が行われる。このとき、記録ヘッドの走査方向がＸ方向であれば記録ヘッド４１３Ｒ及び記録ヘッド４１３Ｌが用いられ、−Ｘ方向であれば４１１Ｌ及び記録ヘッド４１１Ｒが用いられる。そして、その後に、記録ヘッド４１２から超浸透インクを吐出して記録を行う。また、外周領域への記録においては、緩浸透インクを吐出する記録ヘッドのうち走査方向の後方に配置された記録ヘッド（Ｘ方向であれば４１１Ｒもしくは４１１Ｌ、−Ｘ方向であれば４１３Ｌもしくは４１３Ｒ）からインクを吐出して記録を行う。
【０１１１】
（第七実施形態）
次に、本発明の第七実施形態に係るインクジェット記録装置による記録について説明する。なお、上記第一実施形態ないし第六実施形態と同様に構成される部分については図中同一符号を付して説明を省略し、異なる部分についてのみ説明する。
【０１１２】
本実施形態では、緩浸透インクの色材濃度を、超浸透インクの色材濃度よりも薄くすることとする。記録画像の外周領域においては、緩浸透インクのみが記録されることになる。そのため、記録媒体の表面を越えて盛り上がった部分が発生し易い。そのような部分においては、記録媒体上の色材が指等に対して接触し、記録画像が汚れ、記録画像の品質が低下する可能性がある。また、マーカーによって画像上をなぞったときに、色材がマーカーによって汚され、記録画像の品質が低下する可能性がある。
【０１１３】
従って、外周領域において記録媒体の表面よりも色材が盛り上がることを防ぐために、本実施形態では外周領域へ記録する緩浸透インクの色材濃度を減少させている。これにより、記録画像における外周部分の耐マーカー性や擦過性を向上させることができる。本実施形態で使用したインクの組成は次に示す通りである。なお、各成分の割合は質量部で示したものである（各成分の合計は１００質量部）。
【０１１４】
（緩浸透インク２）
顔料分散液                                            ２０質量部
グリセリン                                            １０質量部
ポリエチレングリコール１０００                        １質量部
アセチレノールＥ１００（川研ファインケミカル製）      ０．０３質量部
水                                                    残部
【０１１５】
（第八実施形態）
次に、本発明の第八実施形態に係るインクジェット記録装置による記録について説明する。なお、上記第一実施形態ないし第七実施形態と同様に構成される部分については図中同一符号を付して説明を省略し、異なる部分についてのみ説明する。
【０１１６】
本実施形態では、第七実施形態のインク組成によって形成されたインクを採用しつつ、ブラックインクによる記録とカラーインクによる記録とが並行して行われる場合について説明する。第五実施形態で説明したように、ブラックインクによって記録される領域とカラーインクによって記録される領域とが隣接している場合には、それらの領域が接している部分については、エッジ部とせずに非エッジ部とする方が良いことが多い。本実施形態においても、ブラックインクによって記録される領域とカラーインクによって記録される領域とが接している部分については、エッジ部とせずに非エッジ部として記録し、緩浸透インクだけでなく超浸透インクも用いて記録を行う。
【０１１７】
（第九実施形態）
次に、本発明の第九実施形態に係るインクジェット記録装置による記録について説明する。なお、上記第一実施形態ないし第八実施形態と同様に構成される部分については図中同一符号を付して説明を省略し、異なる部分についてのみ説明する。
【０１１８】
本実施形態においても、第七実施形態のインク組成によって形成されたインクを採用しつつ、ブラックインクによる記録とカラーインクによる記録とが並行して行われる場合について説明する。第五実施形態及び第八実施形態のように、ブラックインクによって記録される領域とカラーインクによって記録される領域とが隣接している場合には、それらの領域が接している部分については、エッジ部とせずに非エッジ部とする方が良いことが多い。
【０１１９】
しかしながら、本実施形態のように色材濃度が低い緩浸透インクを用いた記録装置においては、ブラックインクによって記録される領域とカラーインクによって記録される領域とが隣接しているかどうかを判定する機能が省略されても良い。通常、ブラックインクの記録領域とカラーインクの記録領域とが隣接している部分において、ブラックインクによって記録される領域のエッジ部へ緩浸透インクを用いて記録が行われると、緩浸透インクがブラック側からカラー側へにじみ出す場合がある。そのため、ブラックインクのキレが低下する場合が生じることが多い。しかしながら、本実施形態のように、色材濃度が低い緩浸透インクが用いられた場合には、カラーインク側にブラックインクが滲み出した場合に記録画像の品質の低下が目立ち難い。従って、ブラックインクがカラーインクに滲み出した場合の記録画像の品質の低下を抑えることができる。
【０１２０】
（他の実施形態）
なお、上述の実施形態では、同系色のインクとしてブラックインクについて緩浸透インクと超浸透インクとを用いて記録を行う例について説明した。この同系色のインクとは、色材濃度が異なっていてもよく、前述したように緩浸透インクの色材濃度が超浸透インクの色材濃度よりも低くなっていることが好ましい。また、本発明は上述の実施形態に限定されず、他の色についても緩浸透インクと超浸透インクとを用いて記録を行うこととしても良い。このとき、緩浸透インクによる記録が行われた後に超浸透インクによる記録が行われるようにすれば良い。
【０１２１】
また、上述の実施形態では、双方向記録を行う場合について説明したが、本発明はこれに限るものではなく、双方向記録よりもスループットが低下することを考慮すれば、片方向記録でもよい。この場合、緩浸透インクを吐出する記録ヘッドが、超浸透インクを吐出する記録ヘッドよりも走査方向前方に位置する構成であれば、内部領域に対して超浸透インクよりも緩浸透インクを先に吐出することができるため、本発明の効果を得ることができる。
【０１２２】
また、上述の実施形態は、記録媒体に対して記録ヘッドが走査して記録を行う例を用いて説明したが、本発明はこれに限るものではなく、記録ヘッドと記録媒体の相対走査により記録が行われるものであればよい。すなわち、記録ヘッドに対して記録媒体が移動するものであってもよい。また、本発明は、上述の実施形態のように記録ヘッドをインク色毎に備える形態に限るものではなく、インクを吐出する吐出口列をインク色ごとに有する１つまたは複数の記録ヘッドの形態であってもよい。
【０１２３】
また、本明細書において、「記録」とは、文字、図形等有意の情報を形成する場合のみならず、有意無意を問わずに用いられる。また、人間が視覚で知覚し得るように顕在化したものであるか否かを問わず、広く記録媒体上に画像、模様、パターン等を形成する、または記録媒体の加工を行う場合も表すものとする。
【０１２４】
また、「記録装置」とは、プリンタ、プリンタ複合機、複写機、ファクシミリ装置などのプリント機能を有する装置、ならびにインクジェット技術を用いて物品の製造を行なう製造装置を含む。
【０１２５】
また、「記録媒体」とは、一般的な記録装置で用いられる紙のみならず、広く、布、プラスチック・フィルム、金属板、ガラス、セラミックス、木材、皮革等、インクを受容可能なものを表すものとする。
【０１２６】
さらに、「インク」（「液体」と言う場合もある）とは、上記「記録」の定義と同様広く解釈されるべきものである。記録媒体上に付与されることによって、画像、模様、パターン等の形成または記録媒体の加工、或いはインクの処理（例えば記録媒体に付与されるインク中の色材の凝固または不溶化）に供され得る液体を表すものとする。
【符号の説明】
【０１２７】
２０１、２０２、２０３、３０１、３０２、４０１Ｌ、４０１Ｒ、４０２、４０３Ｌ、４０３Ｒ  記録ヘッド
２１０３、５１０３  エッジ部データ
２００３、５００３  非エッジ部データ
【図１】
0005791242.tif 000002
【図２】
0005791242.tif 000003
【図３】
0005791242.tif 000004
【図４】
0005791242.tif 000005
【図５】
0005791242.tif 000006
【図６】
0005791242.tif 000007
【図７】
0005791242.tif 000008
【図８】
0005791242.tif 000009
【図９】
0005791242.tif 000010
【図１０】
0005791242.tif 000011
【図１１】
0005791242.tif 000012
【図１２】
0005791242.tif 000013
【図１３】
0005791242.tif 000014
【図１４】
0005791242.tif 000015
【図１５】
0005791242.tif 000016
【図１６】
0005791242.tif 000017